(57)【要約】【課題】      放電時の電力を無駄に消費してしまうことを防止しつつバッテリーの充電が可能な充放電装置等を提供する。【解決手段】  充放電装置３は電力供給源２からバッテリー３ａ、３ｂに充放電を行う装置であり、バッテリー３ａに電気的に接続可能でバッテリー３ａに充放電可能な第１充放電部５ａと、バッテリー３ｂに電気的に接続可能でバッテリー３ｂに充放電可能な第２充放電部５ｂと、バッテリー３ａ、３ｂへの充電・放電を切り替える切替部７と、バッテリー３ａ、３ｂからの独立放電のための独立放電部９と、第１充放電部５ａ、第２充放電部５ｂ、切替部７及び独立放電部９の動作制御を行う監視制御部１３を備える。評価試験システム１は、充放電装置３の動作を検査して評価試験を行うべく、監視制御部１３内の記録部１４に監視データを記録するとともに監視データをパソコン１５に送ることができ、そのデータはプリンタ１７から印刷可能である。【選択図】  図１
2008199763.tif 000002
【特許請求の範囲】
【請求項１】
バッテリーに対して充電を行い、及び、充電されたバッテリーから放電を行わせる充放電装置において、
第１のバッテリーに電気的に接続可能であって前記第１のバッテリーに対して充放電を行える第１充放電手段と、
第２のバッテリーに電気的に接続可能であって前記第２のバッテリーに対して充放電を行える第２充放電手段と、
前記第１の充放電手段又は前記第２の充放電手段が前記第１のバッテリー又は前記第２のバッテリーに対する放電処理を行うときに、前記第２の充放電手段又は前記第１の充放電手段が前記第１のバッテリー又は前記第２のバッテリーから放電される電力を前記第２のバッテリー又は前記第１のバッテリーに充電する電気的接続経路を形成することが可能な接続経路形成手段と、を備えた、充放電装置。
【請求項２】
電力供給源からの電力及び前記接続経路形成手段によって形成された電気的接続経路によって前記第１のバッテリー又は前記第２のバッテリーから放電される電力の両者を用いて、前記第２のバッテリー又は前記第１のバッテリーを充電することが可能なことを特徴とする、請求項１記載の充放電装置。
【請求項３】
２次電池に対して充電を行い、及び、充電された２次電池から放電を行わせて２次電池の再生を行うバッテリー再生装置において、
第１の２次電池に電気的に接続可能であって前記第１の２次電池に対して充放電を行える第１充放電手段と、
第２の２次電池に電気的に接続可能であって前記第２の２次電池に対して充放電を行える第２充放電手段と、
前記第１の充放電手段又は前記第２の充放電手段が前記第１の２次電池又は前記第２の２次電池に対する放電処理を行うときに、前記第２の充放電手段又は前記第１の充放電手段が前記第１の２次電池又は前記第２の２次電池から放電される電力を前記第２の２次電池又は前記第１の２次電池に充電する電気的接続経路を形成することが可能な接続経路形成手段と、を備え、
前記接続経路形成手段は、
前記第１の充放電手段が前記第１の２次電池に対する放電処理を行うときに前記第２の充放電手段が前記第１の２次電池から放電される電力を前記第２の２次電池に充電する第１の電気的接続経路と、前記第２の充放電手段が前記第２の２次電池に対する放電処理を行うときに前記第１の充放電手段が前記第２の２次電池から放電される電力を前記第１の２次電池に充電する第２の電気的接続経路とを切り替えるスイッチング手段を有し、
前記スイッチング手段の切り替え動作を制御する制御手段をさらに備え、
前記制御手段は、前記第１の充放電手段が前記第１の２次電池に対する放電処理を行うときに前記第２の充放電手段が前記第１の２次電池から放電される電力を前記第２の２次電池に充電する第１の電気的接続経路と、前記第２の充放電手段が前記第２の２次電池に対する放電処理を行うときに前記第１の充放電手段が前記第２の２次電池から放電される電力を前記第１の２次電池に充電する第２の電気的接続経路とが交互に切り替えられるように前記スイッチング手段の切り替え動作を制御する、バッテリー再生装置。
【請求項４】
前記第１の充放電手段又は前記第２の充放電手段が、電力供給源からの電力及び前記接続経路形成手段によって形成された電気的接続経路によって前記第１の２次電池又は前記第２の２次電池から放電される電力の両者を用いて、前記第２の２次電池又は前記第１の２次電池を充電することが可能なことを特徴とする、請求項３記載のバッテリー再生装置。
【発明の詳細な説明】
【技術分野】
【０００１】
本発明は、バッテリーに対して充放電を行わせる充放電装置及び２次電池に対して充放電を行ってバッテリーを再生するバッテリー再生装置に関する。
【背景技術】
【０００２】
バッテリーの充放電を制御する装置としては、例えば特許文献１に記載されているものがある。この技術は、バッテリーの性能劣化を抑制可能な装置に関するものである。
【０００３】
また、特許文献２に記載のように、バッテリー充放電処理システムもある。このシステムは、メインバッテリと補助バッテリーとを用い、マスタと補助バッテリーが搭載されたスレーブとが通信可能に接続され、マスタがスリープ状態であるか否かの判断結果に基づいて補助バッテリーの充電処理の許可・禁止の制御を行うスレーブを有している。
【０００４】
【特許文献１】特開２００６−２７８１３２号公報
【特許文献２】ＷＯ０２／００１６９５
【発明の開示】
【発明が解決しようとする課題】
【０００５】
しかしながら、特許文献１に記載の技術は、１つのバッテリーへの充放電を制御して性能劣化を抑えるものであり、一般的な充放電の場合と同様に、放電時には、充電された電力は単に強制的に消費されてエネルギー放出されてしまう。この点で、充放電が繰り返される回数が増えれば増えるほど、無駄にエネルギーが消費されてしまうことが生じる。
【０００６】
また、特許文献２に記載されている技術は、２つのバッテリーをメインと補助として用意しているが、バッテリーに主従の関係を考慮しているにすぎず、上記と同様に、放電時には、充電された電力は単に強制的に消費されてエネルギー放出されてしまい、無駄にエネルギーが消費されてしまうことが生じる。
【０００７】
なお、エネルギー消費の問題は、２次電池の再生を行うために充放電を繰り返す再生装置においても重要な問題であり、バッテリーが２次電池の場合において２次電池の特性を評価する場合においても充放電が繰り返されて行われるため２次電池の特性評価装置においても重要な問題であり、充放電装置の動作を検査する評価試験システムにおいても重要な問題である。特に、特性評価装置と評価試験システムにおいては、バッテリー（２次電池）への充電を適切に行うことが適切に行われなければ正確な特性等が得られず、単に消費エネルギーを削減することに着目するだけでは足りず、その点での工夫が必要になる。
【０００８】
ゆえに、本発明は、バッテリーからの放電時の電力を無駄に消費してしまうことを防止してエネルギー消費を可能な限り抑えた充放電装置、及び、バッテリー再生装置を提供することを目的とする。
【課題を解決するための手段】
【０００９】
請求項１に係る発明は、バッテリーに対して充電を行い、及び、充電されたバッテリーから放電を行わせる充放電装置において、第１のバッテリーに電気的に接続可能であって前記第１のバッテリーに対して充放電を行える第１充放電手段と、第２のバッテリーに電気的に接続可能であって前記第２のバッテリーに対して充放電を行える第２充放電手段と、前記第１の充放電手段又は前記第２の充放電手段が前記第１のバッテリー又は前記第２のバッテリーに対する放電処理を行うときに、前記第２の充放電手段又は前記第１の充放電手段が前記第１のバッテリー又は前記第２のバッテリーから放電される電力を前記第２のバッテリー又は前記第１のバッテリーに充電する電気的接続経路を形成することが可能な接続経路形成手段と、を備える。
【００１０】
これにより、第１の充放電手段が第１のバッテリーに対する放電処理を行うときに、第２の充放電手段が第１のバッテリーから放電される電力を第２のバッテリーに充電するため、又は、第２の充放電手段が第２のバッテリーに対する放電処理を行うときに、第１の充放電手段が第２のバッテリーから放電される電力を第１のバッテリーに充電するため、放電時のエネルギーが単に消費されてしまうことがない。
【００１１】
請求項２に係る発明は、請求項１において、電力供給源からの電力及び前記接続経路形成手段によって形成された電気的接続経路によって前記第１のバッテリー又は前記第２のバッテリーから放電される電力の両者を用いて、前記第２のバッテリー又は前記第１のバッテリーを充電することが可能なことを特徴とするものである。
【００１２】
これにより、第１のバッテリー又は第２のバッテリーから放電された電力を用いつつ、電力供給源からの電力を利用して、第２のバッテリー又は第１のバッテリーを充電できる。特に、第１のバッテリーと第２のバッテリーとの間で交互に充放電が繰り返される場合において、放電された電力に電気的接続経路でエネルギー損失が生じるにしても、毎回、充電を完全なものとできる。
【００１３】
なお、請求項１又は２において、前記接続経路形成手段が、前記第１の充放電手段が前記第１のバッテリーに対する放電処理を行うときに前記第２の充放電手段が前記第１のバッテリーから放電される電力を前記第２のバッテリーに充電する第１の電気的接続経路と、前記第２の充放電手段が前記第２のバッテリーに対する放電処理を行うときに前記第１の充放電手段が前記第２のバッテリーから放電される電力を前記第１のバッテリーに充電する第２の電気的接続経路とを切り替えるスイッチング手段を有し、前記スイッチング手段の切り替え動作を制御する制御手段を備えるものでもよい。
【００１４】
また、上記において、前記制御手段が、前記第１の充放電手段が前記第１のバッテリーに対する放電処理を行うときに前記第２の充放電手段が前記第１のバッテリーから放電される電力を前記第２のバッテリーに充電する第１の電気的接続経路と、前記第２の充放電手段が前記第２のバッテリーに対する放電処理を行うときに前記第１の充放電手段が前記第２のバッテリーから放電される電力を前記第１のバッテリーに充電する第２の電気的接続経路とが交互に切り替えられるように前記スイッチング手段の切り替え動作を制御するものでもよい。
【００１５】
さらに、上記において、前記第１の電気的接続経路又は前記第２の電気的接続経路の使用を不能にして、前記第２の充放電手段が前記第１のバッテリーから放電される電力を前記第２のバッテリーに充電することを不可とし、又は、前記第１の充放電手段が前記第２のバッテリーから放電される電力を前記第１のバッテリーに充電することを不可とし、前記第１のバッテリーから放電される電力又は前記第２のバッテリーから放電される電力を放電する放電手段を備えるものである。
【００１６】
さらに、バッテリーに対して充電を行い、及び、充電されたバッテリーから放電を行わせるバッテリーの充放電を制御する制御装置において、第１のバッテリーに電気的に接続可能であって前記第１のバッテリーに対して充放電を行える第１充放電手段又は第２のバッテリーに電気的に接続可能であって前記第２のバッテリーに対して充放電を行える第２充放電手段が、前記第１のバッテリー又は前記第２のバッテリーに対する放電処理を行うときに、前記第２の充放電手段又は前記第１の充放電手段が前記第１のバッテリー又は前記第２のバッテリーから放電される電力を前記第２のバッテリー又は前記第１のバッテリーに充電する電気的接続経路を形成されるように、前記電気的接続経路の形成状態を制御するものでもよい。
【００１７】
さらに、上記制御装置において、前記第１の充放電手段が前記第１のバッテリーに対する放電処理を行うときに前記第２の充放電手段が前記第１のバッテリーから放電される電力を前記第２のバッテリーに充電する第１の電気的接続経路と、前記第２の充放電手段が前記第２のバッテリーに対する放電処理を行うときに前記第１の充放電手段が前記第２のバッテリーから放電される電力を前記第１のバッテリーに充電する第２の電気的接続経路とを切り替えるスイッチング手段が設けられており、前記スイッチング手段の切り替え動作を制御するものでもよい。
【００１８】
さらに、上記において、前記第１の充放電手段が前記第１のバッテリーに対する放電処理を行うときに前記第２の充放電手段が前記第１のバッテリーから放電される電力を前記第２のバッテリーに充電する第１の電気的接続経路と、前記第２の充放電手段が前記第２のバッテリーに対する放電処理を行うときに前記第１の充放電手段が前記第２のバッテリーから放電される電力を前記第１のバッテリーに充電する第２の電気的接続経路とが交互に切り替えられるように前記スイッチング手段の切り替え動作を制御するものでもよい。
【００１９】
さらに、上記制御装置に制御動作を実行させるためのプログラムでもよい。
【００２０】
さらに、２次電池に対して充電を行い、及び、充電された２次電池から放電を行わせて２次電池の特性を評価する特性評価装置において、第１の２次電池に電気的に接続可能であって前記第１の２次電池に対して充放電を行える第１充放電手段と、第２の２次電池に電気的に接続可能であって前記第２の２次電池に対して充放電を行える第２充放電手段と、前記第１の充放電手段又は前記第２の充放電手段が前記第１の２次電池又は前記第２の２次電池に対する放電処理を行うときに、前記第２の充放電手段又は前記第１の充放電手段が前記第１の２次電池又は前記第２の２次電池から放電される電力を前記第２の２次電池又は前記第１の２次電池に充電する電気的接続経路を形成することが可能な接続経路形成手段と、を備え、前記接続経路形成手段が、前記第１の充放電手段が前記第１の２次電池に対する放電処理を行うときに前記第２の充放電手段が前記第１の２次電池から放電される電力を前記第２の２次電池に充電する第１の電気的接続経路と、前記第２の充放電手段が前記第２の２次電池に対する放電処理を行うときに前記第１の充放電手段が前記第２の２次電池から放電される電力を前記第１の２次電池に充電する第２の電気的接続経路とを切り替えるスイッチング手段を有し、前記スイッチング手段の切り替え動作を制御する制御手段をさらに備え、前記制御手段が、前記第１の充放電手段が前記第１の２次電池に対する放電処理を行うときに前記第２の充放電手段が前記第１の２次電池から放電される電力を前記第２の２次電池に充電する第１の電気的接続経路と、前記第２の充放電手段が前記第２の２次電池に対する放電処理を行うときに前記第１の充放電手段が前記第２の２次電池から放電される電力を前記第１の２次電池に充電する第２の電気的接続経路とが交互に切り替えられるように前記スイッチング手段の切り替え動作を制御し、前記制御手段による交互の充放電によって前記第１の２次電池及び前記第２の２次電池の特性を評価可能であることを特徴とするものでもよい。
【００２１】
さらに、上記特性評価装置において、前記第１の充放電手段又は前記第２の充放電手段が、電力供給源からの電力及び前記接続経路形成手段によって形成された電気的接続経路によって前記第１のバッテリー又は前記第２のバッテリーから放電される電力の両者を用いて、前記第２のバッテリー又は前記第１のバッテリーを充電することが可能なことを特徴とするものでもよい。
【００２２】
これにより、第１の２次電池又は第２の２次電池から放電された電力を用いつつ、電力供給源からの電力を利用して、第２の２次電池又は第１の２次電池を充電できる。特に、第１の２次電池と第２の２次電池との間で交互に充放電が繰り返される場合において、放電された電力に電気的接続経路でエネルギー損失が生じるにしても、毎回、充電を完全なものとできる。
【００２３】
さらに、充放電装置の動作を検査する評価試験システムであって、請求項１から５のいずれかに記載の充放電装置と、前記充放電装置の動作の状態を記録する記録手段とを備えるものでもよい。
【００２４】
請求項３に係る発明は、２次電池に対して充電を行い、及び、充電された２次電池から放電を行わせて２次電池の再生を行うバッテリー再生装置において、第１の２次電池に電気的に接続可能であって前記第１の２次電池に対して充放電を行える第１充放電手段と、第２の２次電池に電気的に接続可能であって前記第２の２次電池に対して充放電を行える第２充放電手段と、前記第１の充放電手段又は前記第２の充放電手段が前記第１の２次電池又は前記第２の２次電池に対する放電処理を行うときに、前記第２の充放電手段又は前記第１の充放電手段が前記第１の２次電池又は前記第２の２次電池から放電される電力を前記第２の２次電池又は前記第１の２次電池に充電する電気的接続経路を形成することが可能な接続経路形成手段と、を備え、前記接続経路形成手段が、前記第１の充放電手段が前記第１の２次電池に対する放電処理を行うときに前記第２の充放電手段が前記第１の２次電池から放電される電力を前記第２の２次電池に充電する第１の電気的接続経路と、前記第２の充放電手段が前記第２の２次電池に対する放電処理を行うときに前記第１の充放電手段が前記第２の２次電池から放電される電力を前記第１の２次電池に充電する第２の電気的接続経路とを切り替えるスイッチング手段を有し、前記スイッチング手段の切り替え動作を制御する制御手段をさらに備え、前記制御手段が、前記第１の充放電手段が前記第１の２次電池に対する放電処理を行うときに前記第２の充放電手段が前記第１の２次電池から放電される電力を前記第２の２次電池に充電する第１の電気的接続経路と、前記第２の充放電手段が前記第２の２次電池に対する放電処理を行うときに前記第１の充放電手段が前記第２の２次電池から放電される電力を前記第１の２次電池に充電する第２の電気的接続経路とが交互に切り替えられるように前記スイッチング手段の切り替え動作を制御するものである。
【００２５】
請求項４に係る発明は、請求項３において、前記第１の充放電手段又は前記第２の充放電手段が、電力供給源からの電力及び前記接続経路形成手段によって形成された電気的接続経路によって前記第１の２次電池又は前記第２の２次電池から放電される電力の両者を用いて、前記第２の２次電池又は前記第１の２次電池を充電することが可能なことを特徴とするものである。
【発明の効果】
【００２６】
本発明によれば、第１のバッテリーに電気的に接続可能であって第１のバッテリーに対して充放電を行える第１充放電手段と第２のバッテリーに電気的に接続可能であって第２のバッテリーに対して充放電を行える第２充放電手段という複数の充電手段を用い、第１の充放電手段が第１のバッテリーに対する放電処理を行うときに第２の充放電手段が第１のバッテリーから放電される電力を第２のバッテリーに充電するため、又は、第２の充放電手段が第２のバッテリーに対する放電処理を行うときに第１の充放電手段が第２のバッテリーから放電される電力を第１のバッテリーに充電するため、一つのバッテリーから放電される電力を他のバッテリーに充電できることになる。そのため、放電時のエネルギーが単に消費されてしまうことがなく、バッテリーが２次電池である場合のように繰り返して充放電を行う場合においてエネルギーの無駄な消費が抑えられる。特に交互の充放電を繰り返す場合にはそのエネルギー消費の抑制が顕著となる。
【００２７】
また、電力供給源からの電力及び前記接続経路形成手段によって形成された電気的接続経路によって前記第１のバッテリー又は前記第２のバッテリーから放電される電力の両者を用いて、前記第２のバッテリー又は前記第１のバッテリーを充電することが可能なことを特徴とするものである。その結果、消費エネルギーを抑えるだけでなく、適切な充電が行われることが可能になる。特に、例えば２次電池の特性を評価する場合或いは充電装置の動作を検査して評価試験を行う場合には、放電された電力と電力供給源からの電力の両者を用いることにより、放電の前提でもある充電を適切に行うことにより、正確な特性評価等を得ることができる。
【発明を実施するための最良の形態】
【００２８】
図１は、本発明の実施の形態に係る充放電装置３を有する評価試験システム１の概略構成を示した図である。
【００２９】
評価試験システム１は充放電装置３を有し、充放電装置３は、電力供給源２により、バッテリー３ａ、３ｂに対して充電を行う装置である。充放電装置３は、バッテリー３ａに電気的に接続可能でバッテリー３ａに対して充放電を行うことが可能な第１充放電部５ａと、バッテリー３ｂに電気的に接続可能でバッテリー３ｂに対して充放電を行うことが可能な第２充放電部５ｂと、バッテリー３ａ、３ｂへの充電・放電を切り替える切替部７と、バッテリー３ａ、３ｂからの独立放電のための独立放電部９と、第１充放電部５ａ、第２充放電部５ｂ、切替部７及び独立放電部９の動作制御を行う監視制御部１３とを備える。評価試験システム１は、充放電装置３の動作を検査して評価試験を行うべく、監視制御部１３内の記録部１４に監視データを記録するとともに、通信可能に接続されたパソコン１５に送ることができ、そのデータはプリンタ１７により印刷可能である。
【００３０】
充放電部５ａは充放電切替部２１ａと双方向コンバータ２３ａとを有し、充放電部５ｂは充放電切替部２１ｂと双方向コンバータ２３ｂとを有する。切替部７は、電力供給電源２にヒューズを用いた遮断器ＭＣＣＢを介して、切替スイッチＳＷ１〜ＳＷ４が接続されている。切替スイッチＳＷ１の一方は接続点Ａを介して遮断器ＭＣＣＢに接続され、他方は接続点Ｂを介して充放電切替部２１ａの一つの端子ａに接続される。切替スイッチＳＷ２の一方は接続点Ｃを介して充放電切替部２１ａの他の端子ｂに接続され、他方は接続点Ｄを介して充放電切替部２１ｂの一つの端子ｃに接続される。切替スイッチＳＷ３の一方は接続点Ａを介して遮断器ＭＣＣＢに接続され、他方は接続点Ｂを介して充放電切替部２１ｂの上記一つの接続端子ａに接続される。切替スイッチＳＷ４の一方は接続点Ｂを介して充放電切替部２１ａの上記一つの端子ａに接続され、他方は接続点Ｅを介して充放電切替部２１ｂの他の端子ｄに接続される。
【００３１】
また、独立放電部９は、切替スイッチＳＷ５、ＳＷ６を有し、さらに抵抗２５を有する。切替スイッチＳＷ５の一方は接続点Ｃを介して充放電切替部２１ａの端子ｂに接続され、他方は接続点Ｆを介して抵抗２５に接続される。切替スイッチＳＷ６の一方は接続点Ｅを介して充放電切替部２１ｂの端子ｄに接続され、他方は抵抗２５に接続される。
【００３２】
図１を用いて、バッテリー３ａに充電する動作を説明する。初期状態として、切替スイッチＳＷ１〜６、ＭＣＣＢがオフであるとする。まず、監視制御部１３による制御信号によって、切替スイッチＳＷ１がオンになる。そして、ＭＣＣＢがオンとなり、破線の矢印で示す流れで、電力供給電源２からの電力が充放電部５ａによりバッテリー３ａに充電される。これにより、バッテリー３ａが充電されていない状況（空）から充電が完了した状態（満）になる。ここで、バッテリー３ｂに電力が蓄えられている場合には、この電力をバッテリー３ａの充電に利用可能としている。すなわち、監視制御部１３による制御により、切替スイッチＳＷ４がオンとなり、充放電部５ｂが放電動作を行い、破線の矢印で示す流れで、バッテリー３ｂから電力が放電される。この放電された電力は、監視制御部１３による制御により充放電部５ａが充電動作を行い、バッテリー３ａに充電される。なお、バッテリー３ｂが充電されている状況としては、既に充電されていた状況で第２充放電部５ｂに接続された場合のほか、充電されていない状況で後述のように第２充放電部５ｂにより充電が行われる場合がある。
【００３３】
図２を用いて、バッテリー３ｂに充電する動作を説明する。初期状態として、切替スイッチＳＷ１〜６、ＭＣＣＢがオフであるとする。まず、監視制御部１３による制御信号によって、切替スイッチＳＷ３がオンになる。そして、ＭＣＣＢがオンとなり、破線の矢印で示す流れで、電力供給電源２からの電力が充放電部５ｂによりバッテリー３ｂに充電される。これにより、バッテリー３ｂが充電されていない状況（空）から充電が完了した状態（満）になる。ここで、バッテリー３ａに電力が蓄えられている場合には、この電力をバッテリー３ｂの充電に利用可能としている。すなわち、監視制御部１３による制御により、切替スイッチＳＷ２がオンとなり、充放電部５ａが放電動作を行い、破線の矢印で示す流れで、バッテリー３ａから電力が放電される。この放電された電力は、監視制御部１３による制御により充放電部５ｂが充電動作を行い、バッテリー３ｂに充電される。なお、バッテリー３ａが充電されている状況としては、既に充電されていた状況で第２充放電部５ａに接続された場合のほか、充電されていない状況で上述のように第２充放電部５ａにより充電が行われる場合がある。
【００３４】
以上のように、バッテリー３ａとバッテリー３ｂの一方が放電する電力を他方の充電に利用している。そのため、一つのバッテリーに対して充電と放電を行う場合に比べて、放電時の電力エネルギーを単に消費して、その後に充電することに比べて格段の省電力化とエネルギー損失の小さな充放電装置が得られる。特に、例えばバッテリーの再生のように充電と放電をある程度の回数繰り返す必要がある場合においても、バッテリー３ａの充電とバッテリー３ｂの放電、バッテリー３ｂの充電とバッテリー３ａの放電を、交互に行うことにより、バッテリー３ａ、３ｂを入れ替えることなく、充放電に必要な電力量を削減でき、エネルギー損失を格段に抑えることを実現できる。ここで、この交互の充放電の動作は、バッテリー３ａとバッテリー３ｂが装着されることにより、監視制御部１３が自動運転すればよく、充放電の開始時期となるトリガはシンプルなものとできる。
【００３５】
以下に、実際の効果を検証する。上記省エネ効果は具体的には、バッテリー容量（７５０ＡＨ／５Ｈ，２４Ｖ×５個）×２組を想定すると、下記のように計算される。
【００３６】
従来方式：１５０Ａ×１２０Ｖ×２セット÷０．７×２４Ｈ×３６５日／１０００＝
４５０，０００ｋＷｈ／年
今回方式：１５０Ａ×１２０Ｖ×２セット×０．３×２４Ｈ×３６５日／１０００＝
９５，０００ｋＷｈ／年
【００３７】
なお、従来方式では割戻を考慮して０．７を掛けることとし、今回方式では装置自体の消費電力及びバッテリーのエネルギー損失のみを考慮したものとしている。
【００３８】
上記から電気量の削減効果は３５５，０００ｋＷｈ／年、ＣＯ２の削減効果は３５５，０００ｋＷｈ／年×０．３６kg／ｋＷｈ＝１２７，８００kg／年である。
【００３９】
図３は、独立放電部９について説明するための図である。
【００４０】
図３に示すように、例えばバッテリー３ａが放電する電力をバッテリー３ｂ側に使用しない場合がある。すなわち、バッテリー３ｂが装着されていなければ、バッテリー３ｂの充電処理は行われず、その場合に図２の処理、特に切替スイッチＳＷ２がオンとなる動作が行われると、バッテリー３ａが放電した電力が消費されないことになるため、そのようなことを回避すべく、監視制御部１３による制御により、切替スイッチＳＷ５をオンとし、抵抗２５によって電力を消費させるようにしている。バッテリー３ｂの放電の場合には、切替スイッチＳＷ６がオンとなる。
【００４１】
このような処理として、監視制御部１３は、バッテリー３ａとバッテリー３ｂが装着されて電気的に接続されていることを確認できなければ、上記のような独立放電部９による放電処理を強制的に行うようにすればよい。但し、バッテリー３ａとバッテリー３ｂが装着されていても、監視制御部１３は、断線等の何らかのトラブルを検出して独立放電部９を動作させることは妨げられるものではない。
【００４２】
なお、図１及び図２の説明の流れから、上記では、図１のバッテリー３ａの充電とバッテリー３ｂの放電、図２のバッテリー３ｂの充電とバッテリー３ａの放電を関係付けるような記載とした。すなわち、図１の切替スイッチＳＷ１と切替スイッチＳＷ４、図２の切替スイッチＳＷ２と切替スイッチＳＷ３との動作が連動するような記載とした。しかし、これらは監視制御部１３による制御によって別々に動作してもよく、その場合には、バッテリー３ａの放電する動作として切替ＳＷ５がオンとなり、バッテリー３ｂの放電する動作として切替ＳＷ６がオンとなればよい。
【００４３】
監視制御部１３について、さらに説明する。監視制御部１３は、上記のように、切替部７を制御して切替スイッチＳＷ１〜ＳＷ４のオン・オフによる電機接続経路の決定のほか、充放電部５ａ、５ｂの制御、独立放電部９を制御して切替スイッチＳＷ５、６のオン・オフ動作を行っているが、パソコン１５により、バッテリー３ａ、３ｂの状態を管理値で表して管理して記録可能としている。この管理はあるセクション（例えばステーション）毎に管理されてもよく、その管理データが一括管理されてもよい。
【００４４】
また、監視制御部１３には、タッチパネルが設けられており、充放電のスケジュールの設定が可能でほか、必要な充放電電流の調整、自動運転時間の設定も可能としている。
【００４５】
なお、上記実施の形態で示したバッテリーとしては、充電が行われていない供試バッテリーのほか（２次電池か否かを問わない）、廃棄前の鉛バッテリーの各セルに特殊溶液を注入し、ある程度の回数の充放電により硫酸鉛を除去して再生されるバッテリー（２次電池）が、具体的には想定される。この応用範囲としては、例えば、リーチ式或いはカウンター式フォークリフト、ゴルフカート、ＵＰＳ（無停電電源装置）、直流電源装置が挙げられる。但し、鉛バッテリーに限らず、リチウムバッテリー等の他の２次電池であってもよく、乾電池、ノート型パソコンなどのバッテリー、ハイブリッド車のバッテリーなどであってもよい。
【００４６】
また、上記実施の形態では、充放電装置３を有する評価試験システム１を示した。ここでの充放電装置３に着目すれば、バッテリーを２次電池として２次電池の特性を評価（試験）する特性評価（試験）装置として捉えてもよく、バッテリー再生装置として捉えてもよい。さらに、監視制御部１３に着目すれば、これを制御装置の発明として捉えてもよく、制御装置を動作させるプログラム発明として捉えてもよい。
【００４７】
さらに、上記実施の形態では、バッテリー３ａ又はバッテリー３ｂの充電に電力供給電源２とバッテリー３ｂ又はバッテリー３ａの放電との両者を利用することを説明した。放電される電力と電力供給源２の電力のいずれを優先してバッテリー３ａ又は３ｂに充電されるかについては限定されるものではない。例えば、バッテリー３ａ、３ｂが放電する電力を電力供給源２の電力に比べて優先させるのであれば、放電するバッテリー３ａ、３ｂの電圧を電力供給源２の電圧に比べて高く設定すればよく、電力供給源２の電力をバッテリー３ａ、３ｂが放電する電力に比べて優先させるのであれば、電力供給源２の電圧を放電するバッテリー３ａ、３ｂの電圧に比べて高く設定すればよい。すなわち、電力供給源２の電力がバッテリー３ａ、３ｂの充電に利用される前提において、放電されるバッテリー３ａ、３ｂの電力を他方のバッテリー３ｂ、３ａの充電に利用する際に少なくともエネルギー損失分が電力供給源２の電力により補われる形であればよい。
【図面の簡単な説明】
【００４８】
【図１】本発明の実施の形態に係る充放電装置を有する評価試験システムの概略構成を示した図であって、バッテリー３ａを充電する場合を説明するための図である。
【図２】図１のバッテリー３ｂを充電する場合を説明するための図である。
【図３】図１及び図２の独立放電部９について説明するための図である。
【符号の説明】
【００４９】
１    評価試験システム
３    充放電装置
１３  監視制御部
【図１】
2008199763.tif 000003
【図２】
2008199763.tif 000004
【図３】
2008199763.tif 000005